(57)【要約】【課題】スロープレーの発生を抑制可能な運行管理機能を備えた携帯端末を提供する。【解決手段】携帯端末３は、位置検出手段３５と、計時手段３３ｅを備えた制御手段３３と、記憶手段３４と、表示手段３２と、を少なくとも備える。記憶手段３４は、ゴルフ場を複数分割した領域毎に生成された地図データ３４ａと、前記領域毎のプレー遅延判断に用いるために予め定められた累積プレー許容時間ＴＳ１を含んだ遅延管理データ３４ｄと、を記憶する。制御手段３３は、プレーの開始時刻を決定するプレー開始判定手段３３ｂと、携帯端末３の位置する領域において、プレー開始時刻に基づいて累積プレー経過時間ＴＳ２を随時算出し、累積プレー経過時間ＴＳ２と累積プレー許容時間ＴＳ１との差が所定値を超えたときに、表示手段３２に警告表示を表示させる旨の指令を表示手段３２へ送出する遅延判定手段３３ｃと、を備える。【選択図】図２
2014150945.tif 000002
【特許請求の範囲】
【請求項１】
ゴルフ場内を移動するゴルフ用ナビゲーション携帯端末であって、
前記携帯端末の位置を検出する位置検出手段と、
計時手段を備えた制御手段と、
前記ゴルフ場を複数分割した領域毎に生成された地図データと、前記位置検出手段によって検出された測位データと、前記計時手段によって得られた計時データと、前記領域毎のプレー遅延判断に用いるために予め定められた累積プレー許容時間を含んだ遅延管理データと、を記憶する記憶手段と、
表示手段と、
を備え、かつ、
前記制御手段は、
前記測位データと前記地図データとに基づいて、プレーの開始時刻を決定するプレー開始判定手段と、
前記携帯端末の位置する前記領域において、前記プレー開始時刻に基づいて累積プレー経過時間を随時算出し、当該累積プレー経過時間と前記累積プレー許容時間との差が所定値を超えたときに、前記表示手段に警告表示を表示させる旨の指令を前記表示手段へ送出する遅延判定手段と、
前記測位データと前記地図データとに基づいて、前記領域でのプレーが終了したことを判定するプレー終了判定手段と、
を備えた構成であることを特徴とするゴルフ用ナビゲーション携帯端末。
【請求項２】
前記携帯端末は、センター装置とのデータの送受信を可能にする無線ＬＡＮ接続手段をさらに備え、かつ、前記無線ＬＡＮ接続手段を介して、日々更新されるピン位置関連データを前記センター装置から受信することを特徴とする請求項１に記載の携帯端末。
【請求項３】
ゴルフ場内を移動する複数のゴルフ用ナビゲーション携帯端末と、前記携帯端末とインターネットを介して接続されるセンター装置及びサーバーと、を備えたゴルフ場運行管理システムであって、
前記携帯端末は、
前記携帯端末の位置を検出する位置検出手段と、
計時手段を備えた制御手段と、
前記ゴルフ場を複数分割した領域毎に生成された地図データと、前記位置検出手段によって検出された測位データと、前記計時手段によって得られた計時データと、前記領域毎のプレー遅延判断に用いるために予め定められた累積プレー許容時間を含んだ遅延管理データと、を記憶する記憶手段と、
表示手段と、
前記センター装置又は前記サーバーとのデータの送受信を可能にするインターネット送受信手段と、
を備え、かつ、
前記制御手段は、
前記測位データと前記地図データとに基づいて、プレーの開始時刻を決定するプレー開始判定手段と、
前記携帯端末の位置する前記領域において、前記プレー開始時刻に基づいて累積プレー経過時間を随時算出し、当該累積プレー経過時間と前記累積プレー許容時間との差が所定値を超えたときに、前記表示手段に警告表示を表示させる旨の指令を前記表示手段へ送出する遅延判定手段と、
前記測位データと前記地図データとに基づいて、前記領域でのプレーが終了したことを判定するプレー終了判定手段と、
を備えた構成であることを特徴とするゴルフ場運行管理システム。
【請求項４】
前記携帯端末は、前記インターネット送受信手段及び前記インターネットを介して、日々更新されるピン位置関連データを前記センター装置又は前記サーバーから受信することを特徴とする請求項３に記載のゴルフ場運行管理システム。
【請求項５】
前記携帯端末は、前記測位データを前記サーバーへ送出する位置情報送出手段と、警告端末表示制御手段と、をさらに備え、
前記サーバーは、前記携帯端末からの前記測位データに基づき、同一領域内に存在する携帯端末を特定し、特定された携帯端末に宛てて、前記同一領域内に存在する他の携帯端末に関する測位データ及び警告メッセージの少なくとも１つを含んだ警告端末関連データを送出する警告端末判定手段をさらに備え、かつ、
前記携帯端末は、前記警告端末表示制御手段にて、前記サーバーから送出された前記警告端末関連データに基づき、前記他の携帯端末に関する現在位置及び前記警告メッセージの少なくとも１つを表示させるよう前記表示手段に指令を送ることを特徴とする請求項３又は４に記載のゴルフ場運行管理システム。
【請求項６】
前記センター装置は、記憶手段と、前記記憶手段に予め記憶された管理者メッセージを選択可能又は任意の管理者メッセージを作成可能としかつ当該管理者メッセージを前記サーバー又は前記携帯端末へ送出可能とする管理者メッセージ制御手段と、をさらに備え、かつ、
前記携帯端末は、前記センター装置から送出された前記管理者メッセージを受理し、前記表示手段に表示させるように応答する管理者メッセージ受理応答手段をさらに備えることを特徴とする請求項３〜５のいずれかに記載のゴルフ場運行管理システム。
【請求項７】
前記携帯端末は、スコアデータを作成しかつ前記サーバーへ前記スコアデータを送出するスコアデータ制御手段と、リーダーズボード表示制御手段と、をさらに備え、
前記サーバーは、前記携帯端末からの前記スコアデータに基づき、リーダーズボード関連データを作成しかつ当該リーダーズボード関連データを前記携帯端末又は前記センター装置に送出するリーダーズボード制御手段をさらに備え、かつ、
前記携帯端末は、前記サーバーから送出された前記リーダーズボード関連データを前記リーダーズボード表示制御手段にて受理し、前記表示手段にて前記リーダーズボード関連データの一部或いは全部又は前記データを解析した結果を表示させることを特徴とする請求項３〜６のいずれかに記載のゴルフ場運行管理システム。
【発明の詳細な説明】
【技術分野】
【０００１】
本発明は、ゴルフ場内におけるゴルファーの位置を認識し、必要に応じてゴルファーに円滑なプレー進行を促す機能を備えたゴルフ用ナビゲーション携帯端末及び運行管理システムに関するものである。
【背景技術】
【０００２】
一般に、ゴルフ場においては、数人のプレーヤーからなる各パーティを一定時間間隔で順次スタートさせながら、複数のパーティが一つのホールに集中しないように、ゴルフ場で各ホール順にプレーを円滑に進行させることが望ましいとされる。
【０００３】
（スロープレーの問題）
しかしながら、あるパーティのプレーが遅延すると、これだけではなく、後続のパーティのプレー全てが遅延してしまう問題（以下、「スロープレーの問題」とも呼ぶ。）は少なからず発生しており、スロープレーが起きたゴルフ場は、プレーヤーからの不評やクレームを呼び、最悪の場合は、日没でのプレーヤーへの返金も余儀なくされ、ひいてはゴルフ場へのプレーヤーからの予約数が低減してしまう問題がある。
【０００４】
さらに、近年は、ゴルフ場のコスト削減のためにキャディを廃止する傾向（以下、「セルフプレー化」とも呼ぶ。）があり、キャディのいない状態で各パーティのプレーを円滑に進行させることは極めて困難であり、上記問題に拍車を掛けている状況である。
【０００５】
（安全対策上の問題）
さらに、このセルフプレー化は、プレー中に、プレーヤーが怪我したり、落雷の恐れが生じたり、先行するパーティへ、プレーヤーが自己のボールを打ち込んでしまいそうになった場合に備えた安全対策を十分に講ずることができないことも指摘されている。つまり、セルフプレー化は、スロープレーの問題のみならず、安全対策上の課題も招来する。
【０００６】
（若者世代の集客促進の需要）
さらに、ゴルフ場においては、昨今、団塊の世代と呼ばれた客層が徐々に減っていく時期に差し掛かり、より若者世代の集客が得られるよう、ゴルフのエンターテイメント性を向上させることが望まれている。
【０００７】
（従来技術：ゴルフカート設置型中継端末を備えたシステム）
そこで、各パーティに対応して、キャディに代わる移動可能なゴルフカート（キャディカート）をゴルフ場内に多数配置し、各ゴルフカートのリアルタイムな位置をクラブハウス等の場内運行管理部署にて認識し、プレー促進のための適切な指令を発し得るゴルフ場運行管理システムが、特許文献１に開示されている。
【０００８】
（従来技術：ゴルフカート設置型中継端末及び携帯端末を備えたシステム）
また、上述のようなゴルフカートに設置された中継端末に加え、この中継端末とのデータ通信を行う携帯端末を利用したゴルフ場運行管理システムが、本願出願人による特許文献２に開示されている。
【０００９】
（従来システムの特徴・問題点）
特許文献１，２に開示の従来システムでは、中継端末とクラブハウス内のセンター装置との通信を確保するために、通常、通信範囲の広いＵＨＦ無線機が必要となる。ＵＨＦ無線機を利用したシステムを導入したゴルフ場ではセンター装置と中継端末との間の通信費用は掛らないものの、システムが複雑なこともあり、初期導入コストが高額であることが問題となっている。
【００１０】
また、特許文献１，２に開示の従来システムでは、ゴルフカート（つまりプレー）進行の遅延の認識やプレー促進の指令を行う制御機能の中枢はクラブハウス内のセンター装置であり、中継端末や携帯端末は、データを送受信又は表示する機能しか持たない。
【００１１】
（従来技術：単独に測位・表示のみ行う携帯端末）
一方、特許文献３には、ゴルフ場の地図情報、プレーヤーの位置、各ホールのグリーンのセンターやエッジまでの残距離などを単に表示する携帯端末が開示されている。しかしながら、この携帯端末は、クラブハウス内のセンター装置ともゴルフカート内の中継端末ともデータ通信をすることは予定しておらず、従って、携帯端末を持ち運ぶプレーヤーのプレーが遅延した場合に警告等を表示できるような装置ではない。つまり、特許文献３に開示の携帯端末は、スロープレーの問題を抜本的に解決するものではなく、この携帯端末を持ち運ぶプレーアーがピンまでの残距離を絶えず確認することなどによって、却って、スロープレーの問題に拍車を掛ける恐れもある。
【先行技術文献】
【特許文献】
【００１２】
【特許文献１】特開平３−１３４７１５号公報
【特許文献２】特開２０１２−０３４０７５号公報
【特許文献３】特開２００９−１８３５５６号公報
【発明の概要】
【発明が解決しようとする課題】
【００１３】
本発明は、ゴルフ場が抱える上記問題点を解決しようとするものであり、スロープレーの発生を抑制可能な機能を備えたゴルフ用ナビゲーション携帯端末及びゴルフ場運行管理システムを安価に提供することを目的とする。
【００１４】
本発明のもう一つの目的は、プレーヤーへの安全対策が講じられ、かつ、ゴルフのエンターテイメント性の向上に寄与するゴルフ場運行管理システムを安価に提供することを目的とする。
【課題を解決するための手段】
【００１５】
本発明者は、鋭意検討した末、通常、運行管理機能を備えているセンター装置から、この運行管理機能を携帯端末側に持たせ、携帯端末とセンター装置との間のデータ通信に使用されている遠距離通信が可能なＵＨＦ無線機を除去したシステム構成（例えば、Ｗｉ−Ｆｉ接続手段等の無線ＬＡＮ接続手段のみで両者間の通信を達成させるシステム構成）に想到し、このように構成すれば、スロープレーの課題を解決できることを見出し、本発明を完成するに至った。
【００１６】
すなわち、本発明のゴルフ用ナビゲーション携帯端末又はゴルフ場運行管理システムは、例えば、次の構成・特徴を採用するものである。
【００１７】
請求項１の発明は、
ゴルフ場内を移動するゴルフ用ナビゲーション携帯端末であって、
前記携帯端末の位置を検出する位置検出手段と、
計時手段を備えた制御手段と、
前記ゴルフ場を複数分割した領域毎に生成された地図データと、前記位置検出手段によって検出された測位データと、前記計時手段によって得られた計時データと、前記領域毎のプレー遅延判断に用いるために予め定められた累積プレー許容時間を含んだ遅延管理データと、を記憶する記憶手段と、
表示手段と、
を備え、かつ、
前記制御手段は、
前記測位データと前記地図データとに基づいて、プレーの開始時刻を決定するプレー開始判定手段と、
前記携帯端末の位置する前記領域において、前記プレー開始時刻に基づいて累積プレー経過時間を随時算出し、当該累積プレー経過時間と前記累積プレー許容時間との差が所定値を超えたときに、前記表示手段に警告表示を表示させる旨の指令を前記表示手段へ送出する遅延判定手段と、
前記測位データと前記地図データとに基づいて、前記領域でのプレーが終了したことを判定するプレー終了判定手段と、
を備えた構成であることを特徴とする。
【００１８】
請求項２の発明においては、
前記携帯端末は、センター装置とのデータの送受信を可能にする無線ＬＡＮ接続手段をさらに備え、かつ、前記無線ＬＡＮ接続手段を介して、日々更新されるピン位置関連データを前記センター装置から受信することを特徴とする。
【００１９】
また、請求項３の発明は、
ゴルフ場内を移動する複数のゴルフ用ナビゲーション携帯端末と、前記携帯端末とインターネットを介して接続されるセンター装置及びサーバーと、を備えたゴルフ場運行管理システムであって、
前記携帯端末は、
前記携帯端末の位置を検出する位置検出手段と、
計時手段を備えた制御手段と、
前記ゴルフ場を複数分割した領域毎に生成された地図データと、前記位置検出手段によって検出された測位データと、前記計時手段によって得られた計時データと、前記領域毎のプレー遅延判断に用いるために予め定められた累積プレー許容時間を含んだ遅延管理データと、を記憶する記憶手段と、
表示手段と、
前記センター装置又は前記サーバーとのデータの送受信を可能にするインターネット送受信手段と、
を備え、かつ、
前記制御手段は、
前記測位データと前記地図データとに基づいて、プレーの開始時刻を決定するプレー開始判定手段と、
前記携帯端末の位置する前記領域において、前記プレー開始時刻に基づいて累積プレー経過時間を随時算出し、当該累積プレー経過時間と前記累積プレー許容時間との差が所定値を超えたときに、前記表示手段に警告表示を表示させる旨の指令を前記表示手段へ送出する遅延判定手段と、
前記測位データと前記地図データとに基づいて、前記領域でのプレーが終了したことを判定するプレー終了判定手段と、
を備えた構成であることを特徴とする。
【００２０】
請求項４の発明においては、
前記携帯端末は、前記インターネット送受信手段及び前記インターネットを介して、日々更新されるピン位置関連データを前記センター装置又は前記サーバーから受信することを特徴とする。
【００２１】
請求項５の発明においては、
前記携帯端末は、前記測位データを前記サーバーへ送出する位置情報送出手段と、警告端末表示制御手段と、をさらに備え、
前記サーバーは、前記携帯端末からの前記測位データに基づき、同一領域内に存在する携帯端末を特定し、特定された携帯端末に宛てて、前記同一領域内に存在する他の携帯端末に関する測位データ及び警告メッセージの少なくとも１つを含んだ警告端末関連データを送出する警告端末判定手段をさらに備え、かつ、
前記携帯端末は、前記警告端末表示制御手段にて、前記サーバーから送出された前記警告端末関連データに基づき、前記他の携帯端末に関する現在位置及び前記警告メッセージの少なくとも１つを表示させるよう前記表示手段に指令を送ることを特徴とする。
【００２２】
請求項６の発明においては、
前記センター装置は、記憶手段と、前記記憶手段に予め記憶された管理者メッセージを選択可能又は任意の管理者メッセージを作成可能としかつ当該管理者メッセージを前記サーバー又は前記携帯端末へ送出可能とする管理者メッセージ制御手段と、をさらに備え、かつ、
前記携帯端末は、前記センター装置から送出された前記管理者メッセージを受理し、前記表示手段に表示させるように応答する管理者メッセージ受理応答手段をさらに備えることを特徴とする。
【００２３】
請求項７の発明においては、
前記携帯端末は、スコアデータを作成しかつ前記サーバーへ前記スコアデータを送出するスコアデータ制御手段と、リーダーズボード表示制御手段と、をさらに備え、
前記サーバーは、前記携帯端末からの前記スコアデータに基づき、リーダーズボード関連データを作成しかつ当該リーダーズボード関連データを前記携帯端末又は前記センター装置に送出するリーダーズボード制御手段をさらに備え、かつ、
前記携帯端末は、前記サーバーから送出された前記リーダーズボード関連データを前記リーダーズボード表示制御手段にて受理し、前記表示手段にて前記リーダーズボード関連データの一部或いは全部又は前記データを解析した結果を表示させることを特徴とする。
【発明の効果】
【００２４】
請求項１の発明によれば、基地局たるセンター装置が運行管理の主体となっていた従来のゴルフ場運行管理システムとは異なり、移動局たる携帯端末にその運行管理機能を持たせているために、従来のように、運行管理（スロープレー抑制）のために両者間のデータをプレー中に各プレーエリアを通信圏内としてカバーしながら通信させる実質的な必要性は無い。従って、従来のシステムで必要としていた中継端末や、この中継端末とセンター装置との間の長距離データ通信を可能とするＵＨＦ無線機等をゴルフカート等に設置する必要が無く、非常に簡素かつ安価な構成でスロープレーの課題を解決することが可能となる。
【００２５】
請求項２の発明によれば、携帯端末は、センター装置との近距離データ送受信を可能にする無線ＬＡＮ接続手段をさらに備えているために、携帯端末がセンター装置の近傍に存在しているプレー開始前などのタイミングで、この無線ＬＡＮ接続手段を介して、日々更新されるピン位置関連データをセンター装置から受信することができる。ゴルフ場ではピン位置を日々変更することが通常であることから、ゴルフ場の通常の運営スタイルに適切に対応させることが可能となる。
【００２６】
請求項３及び４の発明によれば、請求項１及び２の発明と同様の運行管理機能を携帯端末に持たせることが可能となる。
【００２７】
請求項５の発明によれば、サーバーにより他の携帯端末が同一領域内に存在するかを常に判定することができ、同一領域内に存在した場合には、一方の携帯端末において他の携帯端末の現在位置を表示手段に表示させたり、サーバーからの警告メッセージを表示させたりすることが可能となる。
【００２８】
請求項６の発明によれば、必要に応じて、センター装置側で予め用意された管理者メッセージを選択、又は任意の管理者メッセージを作成して携帯端末へ送出し、携帯端末側では、この管理者メッセージを受信し、これを表示手段にて表示させることが可能となる。
【００２９】
請求項７の発明によれば、各携帯端末側で各スコアデータを作成し、一方、サーバー側で各携帯端末からこれらのスコアデータを受信し、収集、解析してリーダーズボード関連データを作成して、このデータを各携帯端末又はセンター装置に送出することができる。そして、各携帯端末は、サーバーから送出されたリーダーズボード関連データを記憶・更新させるとともに、表示手段上に当該データを表示させることもできる。これにより、例えば、携帯端末を携帯したプレーヤーは、クラブハウスに戻る前（つまり、ゴルフ場でのプレーの最中）に、リアルタイムに更新されるリーダーズボードを確認することが可能になる。
【図面の簡単な説明】
【００３０】
【図１】実施例１における携帯端末を含んだゴルフ場運行管理システムの概要を示した構成図である。
【図２】実施例１おける携帯端末及びセンター装置の機能的な構成を示したブロック図である。
【図３】実施例１における携帯端末の主な動作を説明するフローチャートである。
【図４】実施例２における携帯端末を含んだゴルフ場運行管理システムの概要を示した構成図である。
【図５】実施例２おける携帯端末の機能的な構成を示したブロック図である。
【図６】実施例２におけるセンター装置、サーバー、及びパソコン端末の機能的な構成を示したブロック図である。
【発明を実施するための形態】
【００３１】
以下、本発明を図面に示す実施例に基づき説明するが、本発明は、下記の具体的な実施例に何等限定されるものではない。
【実施例１】
【００３２】
（実施例１のシステム構成）
図１は、実施例１の携帯端末３を含んだゴルフ場運行管理システム１の概要をあらわす構成図である。また、図２は、実施例１における携帯端末３及びセンター装置２の機能的な構成を示したブロック図である。また、図３は、実施例１における携帯端末３の主な動作を説明するフローチャートである。
【００３３】
図１及び図２において、図示の符号の２はセンター装置であり、例えば、クラブハウス管理室に設置される。また、３は携帯端末であり、例えば、プレーの間、図示しないプレーヤー（パーティ）と共に移動する。
【００３４】
（実施例１のセンター装置の構成要素）
センター装置２は、図示しないＣＰＵ等を含んだ本体２０と、本体２０に接続する表示手段（例えば、モニター装置）２２、同じく本体２０に接続する操作手段（例えば、キーボード）２５や印刷手段２６（例えば、プリンタ）などを備えて構成される。なお、センター装置２の本体２０には、無線ＬＡＮ送受信手段としてのＷｉ−Ｆｉ（Ｗｉｒｅｌｅｓｓ  Ｆｉｄｅｌｉｔｙ）送受信手段２１、ＣＰＵ等によって後述の機能・動作が実現される制御手段２３、メモリ等によって後述の機能・動作が実現される記憶手段２４などを備える。
【００３５】
（実施例１のセンター装置と携帯端末との通信環境）
これらのセンター装置２と携帯端末３とは、図２に示すように、無線ＬＡＮ送受信手段としてのＷｉ−Ｆｉ送受信手段２１，３１及び通信経路ＷＦを介して、各種データの双方向通信を行う。なお、Ｗｉ−Ｆｉ送受信手段２１，３１のデータ通信には、比較的高い周波数帯（例えば、２．４ＧＨｚ帯や５ＧＨｚ帯）が用いられる。
【００３６】
（実施例１の携帯端末の構成要素）
ここで、携帯端末３には、図１に示すように、平板状の外形を成す本体３０を備え、タッチパネル式などの表示手段３２や操作手段３６を有する携帯可能なスマートフォンやタブレットＰＣなどを使用することが考えられるが、必ずしもこれらに限定されない。
【００３７】
携帯端末３は、さらに、本体３０内に内蔵されたＣＰＵ等によって後述の機能・動作が実現される制御手段３３と、本体３０内に内蔵されたメモリ等によって後述の機能・動作が実現される記憶手段３４と、位置検出手段としてのＧＰＳ受信手段３５と、を備える。
【００３８】
（実施例１の携帯端末の制御手段）
制御手段３３は、プレーホール判定手段３３ａと、プレー開始判定手段３３ｂと、遅延判定手段３３ｃと、プレー終了判定手段３３ｄと、現在時刻をカウントする計時手段３３ｅの他に、残距離算出手段３３ｆやスコアデータ制御手段３３ｇ、をそれぞれ備えている。ＧＰＳ受信手段３５は周知のように、人工衛星８から発信される所定の周波数の時刻信号波を受信することにより、ある時刻における携帯端末３ひいてはプレーヤーの位置（経度，緯度，高度）を測位データ３４ｂとして制御手段３３及び記憶手段３４に送る。
【００３９】
（実施例１の携帯端末の記憶手段）
記憶手段３４には、地図データ３４ａ、前述したＧＰＳ受信手段３５によって取得された測位データ３４ｂ、計時手段３３ｅによって取得された計時データ３４ｃ、遅延管理データ３４ｄ、及びピン位置関連データ３４ｅ、操作手段３６及びスコアデータ制御手段３３ｇによって入力・作成されたスコアデータ３４ｆなどのデータに加え、携帯端末３での各種処理を実行させる携帯端末用ソフトウェアプログラムの保存領域が形成されている。
【００４０】
地図データ３４ａは、ゴルフ場の各ホール領域（ホールエリアとも呼ぶ。）と、このホール領域をさらに分割する領域（例えば、各ホール内に部分的に点在又は専有するティー位置、フェアウェイ領域、グリーン領域など）に関する情報を含む。この地図データ３４ａと測位データ３４ｂを基に、制御手段３３内のプレーホール判定手段３３ａによって、携帯端末３の現在位置に基づきプレーヤーが現在プレー中のホールを判定し、このホールに関する地図データ３４ａと、測位データ３４ｂから得られた現在位置と、を携帯端末３の表示手段３２上に表示させることが可能である。
【００４１】
遅延管理データ３４ｄは、各ホールに対応した予定進行時間（後述するプレー許容時間又は累積プレー許容時間）を含み、予定進行時間通りにプレーが進んでいるかどうかを遅延判定手段３３ｃによって判定し、予定通りに進んでいない場合には表示手段３２にて警告メッセージを表示させ、又は警告灯を点滅させる指令を表示手段３２へ送ることができる。
【００４２】
ピン位置関連データ３４ｅは、各ホールでのグリーン上のピン位置に関する情報であり、これらのピン位置は、通常、日々変更されるため、例えばセンター装置２内に操作手段２５によって入力され、記憶手段２４にて保管されている。従って、携帯端末３は、この日々更新されたピン位置関連データ３４ｅを、Ｗｉ−Ｆｉ送受信手段２１，３１を介してセンター装置２の記憶手段２４から取得して、これを自身の記憶手段３４に保管するようにしてもよい。
【００４３】
なお、地図データ３４ａや遅延管理データ３４ｄは、記憶手段３４に予め組み込まれた状態にしておいてもよいし、必要に応じてＷｉ−Ｆｉ送受信手段２１，３１を介してセンター装置２の記憶手段２４から取得し、これらのデータ３４ａ，３４ｄを携帯端末３の記憶手段３４に保管するようにしてもよい。
【００４４】
（実施例１のシステムの動作・作用：  ステップＳ１）
次に、図２及び図３を参照しながら、上記構成（特に本発明に関連する携帯端末３）の動作乃至作用について説明する。
【００４５】
（ピン位置関連データの更新、携帯端末への送出）
先ず、ゴルフ場内においてプレーヤーがプレーを開始する場合、先ず、クラブハウス内のセンター装置２の近傍（つまり、Ｗｉ−Ｆｉ送受信手段２１，３１の通信範囲内）に立ち寄り、携帯端末３を受け取る。この携帯端末３を受け取る際、センター装置２の管理者などが操作手段２５を適宜操作することによって、ゴルフ場において日々更新されかつ記憶手段２４に保管されたピン位置関連データ３４ｅが、Ｗｉ−Ｆｉ送受信手段２１，３１を介して、センター装置２から携帯端末３へ送出される（ステップＳ１）。携帯端末３に送られたピン位置関連データ３４ｅは、携帯端末３の記憶手段３４で保管される。
【００４６】
なお、ゴルフ場に関する地図データ３４ａや遅延管理データ３４ｄが記憶手段３４に予め記憶されていない場合や、センター装置２にて更新された上記データ３４ａ，３４ｄを取得したい場合など必要に応じて、これらのデータ３４ａ，３４ｄを上述のピン位置関連データ３４ｅを送出するタイミングと略同じタイミングでセンター装置２から携帯端末３へ送出するようにしてもよい。
【００４７】
（プレー中のホールの判定：  ステップＳ２）
次に、携帯端末３の測位データ３４ｂに基づき、プレーヤーの現在位置（つまり、これからプレーを行うホール、以下「プレーホール」とも呼ぶ。）を判定する（ステップＳ２）。
【００４８】
（プレー開始時間の決定：  ステップＳ３）
そして、ステップＳ２で判定されたプレーホールに関する測位データ３４ｂから得られた携帯端末３の現在位置が当該ホールのティー位置近傍のエリア内に入った時に当該ホールでのプレー開始時刻を決定する（ステップＳ３）。つまり、ステップＳ３によって、携帯端末３において当該プレーホールにてプレーが開始されたことが認識される。
【００４９】
ステップＳ２及びＳ３について以下の説明を補足する。ゴルフは、通常、第１ホールから第９ホールまでのアウト（ＧＯＩＮＧ  ＯＵＴ）と、第１０ホールから第１８ホールまでのイン（ＣＯＭＩＮＧ  ＩＮ）と、に分けてプレーが行われる。もし、携帯端末３を持ち運ぶプレーヤーが、アウト又はインの最初のホールに居るときから、この携帯端末３の電源をＯＮにしていた場合、ステップＳ２及びＳ３で判定されるプレーホール及びティー位置は、第１ホール又は第１０ホール（つまり、プレー最初のホール）及びこれに関連したティー位置情報となる。
【００５０】
しかしながら、前述のプレーヤーが、アウト又はインの最初のホールでのプレー開始前に携帯端末３の電源を入れ忘れている場合も想定され、この場合には、その後に電源を入れた時点での携帯端末３（つまりプレーヤー）の現在位置に基づいて、プレーホールやプレー開始時刻が決定される（ステップＳ２，Ｓ３）。
【００５１】
（累積プレー許容時間ＴＳ１の算出：  ステップＳ４）
さらに、遅延管理データ３４ｄに含まれる当該ホールでのプレー許容時間Ｔ１（例えば、ゴルフ場管理者側で予め任意に設定可）に、当該ホール以降の各プレー許容時間Ｔ１を積算していくことで、当該ホール及び当該ホール以降の各ホールでの累積プレー許容時間ＴＳ１を算出する（ステップＳ４）。
【００５２】
（プレー経過時間Ｔ２及び累積プレー経過時間ＴＳ２の算出：  ステップＳ５，Ｓ６）
一方、ステップＳ３で決定されたプレー開始時刻と計時データ３４ｃにおける現在時刻との差に基づいてプレー経過時間Ｔ２を随時算出する（ステップＳ５）。さらに、このホールでのプレー経過時間Ｔ２に、それ以前の全てのホールでのプレー経過時間Ｔ２を積算した累積プレー経過時間ＴＳ２を随時算出する（ステップＳ６）。
【００５３】
なお、現在のプレーホールが、携帯端末３の電源をＯＮにして最初に判別したホールであった場合には、それ以前でプレーしたホールに関するプレー経過時間Ｔ２等に関する情報が記憶されていないため、プレー経過時間Ｔ２と累積プレー経過時間ＴＳ２とは同一となる。
【００５４】
（累積プレー経過時間ＴＳ２と累積プレー許容時間ＴＳ１との比較：  ステップＳ７，Ｓ８）
そして、累積プレー経過時間ＴＳ２が、遅延管理データ３４ｄのうち、ステップＳ４にて当該ホールに割り当てられた累積プレー許容時間ＴＳ１を超えていないか否かを判別する（ステップＳ７）。ＴＳ１とＴＳ２との差（ＴＳ１−ＴＳ２）が所定値を超過した場合には、遅延判定手段３３ｃは、表示手段３２上で当該携帯端末３を持ち運ぶプレーヤーに対してプレーが遅延していることを知らせるメッセージ又は点滅信号等の警告表示を行う旨の指令を表示手段３２へ送出する（ステップＳ８）。
【００５５】
（携帯端末３がホールエリア外に出ているかの判定：  ステップＳ９）
次に、測位データ３４ｂの現在位置が、当該ホールが占有するホールエリアを出たか否かを判別する（ステップＳ９）。このホールエリアを出ていない場合には、プレー中であると認識し、各種時間Ｔ２，ＴＳ２の計測（更新）を続け、ステップＳ５〜Ｓ８の処理を繰り返す。
【００５６】
（プレー終了時刻の決定及び最終ホールか否かの判定：  ステップＳ１０，Ｓ１１）
このホールエリアの外へ出たと認識した場合、プレー終了判定手段３３ｄにより、その認識した時刻を当該ホールのプレー終了時刻として決定する（ステップＳ１０）。さらに、プレー終了判定手段３３ｄは、ステップＳ１０によってプレー終了と判定された当該ホールが最終ホール（例えば、第９ホール、第１８ホール）であるか否かを判別する（ステップＳ１１）。
【００５７】
プレー終了判定手段３３ｄが最終ホールではないと判定した場合は、上述のステップＳ２〜Ｓ１１の処理を繰り返す。この際、ステップＳ６での累積プレー経過時間ＴＳ２は、それ以前の累積プレー経過時間ＴＳ２に、ステップＳ５で随時算出された当該ホールでのプレー経過時間Ｔ２を加算したものとなる。
【００５８】
一方、プレー終了判定手段３３ｄが最終ホールであると認識した場合には、全てのプレーが終了したものと判断し、一連のステップＳ１〜Ｓ１０を終了する。なお、この際に、表示手段３２上にプレー終了を表示させる旨の指令をプレー終了判定手段３３ｄから表示手段３２に送出するようにしてもよい。
【００５９】
（遅延管理データの一例）
遅延管理データ３４ｄの一例として、以下の表１を挙げる。各ホールには、地図データ３４ａを基に各ホールに割り当てられたエリア情報Ａ１〜Ａ９やプレー許容時間Ｔ１及び累積プレー許容時間ＴＳ１が割り当てられている。そして、上述のステップＳ５及びＳ６により、プレー経過時間Ｔ２及び累積プレー経過時間ＴＳ２のカウントが開始され、これらの情報も随時、遅延管理データ３４ｄの一部として遅延判定手段３３ｃにより随時更新され、記憶手段３４により随時保管される。
【００６０】
【表１】
2014150945.tif 000003
【００６１】
この表１の例では、プレーヤーが第１ホールから第９ホールまでのアウトでプレーを行い、かつ、第２ホールのプレーを始める前に携帯端末３の電源をＯＮにし、プレーホールが第３ホールであることを想定している。既にプレーが終わった第１ホールでは、携帯端末３を起動していなかったため、プレー経過時間Ｔ２及び累積プレー経過時間ＴＳ２等の欄は利用不可能（Ｎ／Ａ：  ＮＯＴ  ＡＶＡＩＬＡＢＬＥ）と表示している。
【００６２】
第２ホールでは、携帯端末３がプレーホールと判定した最初のホールであり、当該ホールに費やしたプレー経過時間Ｔ２及び累積プレー経過時間ＴＳ２はそれぞれ５分となり、累積プレー経過時間ＴＳ２とこれに対応する累積プレー許容時間ＴＳ１（表１では「１０分」）との差が所定値を超えなかったため（例えば、表１に示すように、上記の差を（ＴＳ１−ＴＳ２）としかつ上記所定値を「−５分」に設定した場合は、この差がこの所定値以下とならなかったため）、警告指令が出されなかったことが分かる（表１中の最終段に示した判定欄の「ＯＫ」を参照）。
【００６３】
しかしながら、現在プレー中の第３ホールでは、３５分と大幅な累積プレー経過時間ＴＳ２が掛り、累積プレー許容時間ＴＳ１との差が所定値（例えば、表１の下から２段目の欄の「−５」を参照）を超えた時点から警告指令が遅延判定手段３３ｃから表示手段３２へ通知されることになる。
【００６４】
（遅延管理データの有効利用の例）
なお、ステップＳ５及びＳ６で得られたホール毎のプレー経過時間Ｔ１や累積プレー経過時間ＴＳ１を遅延管理データ３４ｄの一部として記憶手段３４に保管するようにしてもよい。さらに、これらの時間Ｔ１，ＴＳ１を含んだ遅延管理データ３４ｄを、Ｗｉ−Ｆｉ送受信手段２１，３１を介して、携帯端末３からセンター装置２へ送出し、印刷手段２６にて印刷させるようにしてもよい。このような機能を持たせることによって、携帯端末３を利用したプレーヤーやパーティが、累積プレー許容時間ＴＳ１内でプレーを行ったことを簡単かつ客観的に証明することができ、この証明を基にゴルフ場が当該パーティに特典を付与するようなことも可能になる。
【００６５】
（スコアデータ制御手段の機能）
また、携帯端末３の操作手段３６、スコアデータ制御手段３３ｇ及び記憶手段３４等を用いて、各プレーヤーの各ホールでのスコアデータ３４ｆを入力及び記憶させておくようにしてもよい。この場合、アウト又はインの全てのプレー終了後にクラブハウスのセンター装置２近傍に戻った際に、Ｗｉ−Ｆｉ送受信手段２１，３１を介して、スコアデータ３４ｆを携帯端末３からセンター装置２へ送出し、記憶手段２４に保管し、このスコアデータ３４ｆを表示手段２２や印刷手段２６にて表示又は印刷させるようにしてもよい。さらに制御手段２３において、このスコアデータ３４ｆと他の携帯端末３から得られたスコアデータ３４ｆとを解析（例えば、収集、順位づけ）し、この解析情報を表示手段２２や印刷手段２６にて印刷させるようにしてもよい。
【００６６】
（残距離算出手段の機能）
また、残距離算出手段３３ｆでは、ピン位置関連データ３４ｅと地図データ３４ａと測位データ３４ｂとを記憶手段３４から取得し、プレーホールでのグリーン上のピン位置から携帯端末３までに残存する距離、グリーン手前位置から携帯端末３までに残存する距離等を算出し、これらの算出結果を表示手段３２にて表示させることができる。
【００６７】
このように実施例１では、携帯端末３の位置を検出する位置検出手段としてのＧＰＳ受信手段３５と、計時手段３３ｅを備えた制御手段３３と、ゴルフ場を複数分割した領域としてのホールエリアＡｄ（Ａ１〜Ａ１８）毎に生成された地図データ３４ａと、ＧＰＳ受信手段３５によって検出された測位データ３４ｂと、計時手段３３ｅによって得られた計時データ３４ｃと、ホールエリア領域Ａｄ毎のプレー遅延判断に用いるために予め定められた累積プレー許容時間ＴＳ１を含んだ遅延管理データ３４ｄと、を記憶する記憶手段３４と、表示手段３２と、を備えている。
【００６８】
ここで、制御手段３３は、測位データ３４ｂと地図データ３４ａとに基づいて、プレーの開始時刻を決定するプレー開始判定手段３３ｂを備える。さらに、制御手段３３は、携帯端末３の位置するホールエリアＡｄにおいて、前記プレー開始時刻に基づいて累積プレー経過時間ＴＳ２を随時算出し、当該累積プレー経過時間ＴＳ２と累積プレー許容時間ＴＳ１との差が所定値を超えたときに、表示手段３２上の表示画面にて警告表示を表示させる旨の指令を表示手段３２へ送出する遅延判定手段３３ｃを備える。さらに、制御手段３３は、測位データ３４ｂと地図データ３４ａとに基づいて、ホールエリアＡｄでのプレーが終了したことを判定するプレー終了判定手段３３ｄを備えることを特徴とする。
【００６９】
以上の実施例１の構成の携帯端末３によれば、基地局たるセンター装置が運行管理の主体となっていた従来のゴルフ場運行管理システムとは異なり、移動局たる携帯端末３にその運行管理機能を持たせているために、運行管理（スロープレー抑制）のために両者間のデータをプレー中に通信させる実質的な必要性は無い。従って、従来のシステムで必要としていた中継端末や、この中継端末とセンター装置との間の長距離データ通信を可能とするＵＨＦ無線機等をゴルフカート等に設置する必要が無く、非常に簡素かつ安価な構成でスロープレーの課題を解決することが可能となる。
【００７０】
実施例１においては、携帯端末３は、センター装置２とのデータの送受信を可能にする無線ＬＡＮ接続手段としてのＷｉ−Ｆｉ送受信手段３１をさらに備え、かつ、Ｗｉ−Ｆｉ送受信手段３１を介して、日々更新されるピン位置関連データ３４ｅをセンター装置から受信することが好ましい。
【００７１】
これにより、携帯端末３は、センター装置２との近距離データ送受信を可能にする無線ＬＡＮ接続手段をさらに備えているために、携帯端末３がセンター装置２の近傍に存在しているプレー開始前などのタイミングで、この無線ＬＡＮ接続手段を介して、日々更新されるピン位置関連データ３４ｅをセンター装置２から受信することができる。ゴルフ場ではピン位置を日々変更することが通常であることから、ゴルフ場の通常の運営スタイルに適切に対応させることが可能となる。また、実施例１のシステム１では、電気通信回線やＵＨＦ等の通信手段の接続に対応させる必要がないため、運行管理システムを配備しようとするゴルフ場等は、従来のような複雑なシステムを導入する必要もないし、各携帯端末の運行に必要した通信費用も捻出する必要がない。
【実施例２】
【００７２】
（実施例２：  携帯電話回線を利用可能な携帯端末を備えたゴルフ場運行管理システム）
図４は、実施例２のゴルフ場運行管理システム１の概要をあらわす構成図である。図４と図１とを参照すれば明らかなように、実施例２のシステム１は、センター装置２及び携帯端末３（３Ａ）の他にサーバー４をさらに備え、このインターネット６と、センター装置２又は携帯端末３との間は電気通信回線５で接続されている。なお、インターネット６には、ゴルフ場内を移動する他の携帯端末３Ｂやゴルフ場以外に配置されたパソコン端末７が接続されていてもよい。
【００７３】
ここで、インターネット６と携帯端末３Ａ，３Ｂとの間を接続する電気通信回線５Ａ，５Ｂとしては携帯電話回線が利用される。インターネット６と、センター装置２、サーバー４、又はパソコン端末７との間を接続する電気通信回線５Ｃ，５Ｄ，５Ｅとしては、携帯電話回線のみならず通常の電話網も利用可能である。
【００７４】
なお、実施例２のシステム１も実施例１のシステム１と同様に、各携帯端末３Ａ，３Ｂの側に運行管理機能を持たせている点に留意されたい。従って、実施例２のセンター装置２にも、ゴルフのプレーの間中、各携帯端末３Ａ，３Ｂの運行状況を監視させ、遅延の判断をさせたりする機能を持たせる必要は無い（実施例１同様に、この点が従来の運行管理システムと大きく異なる）。
【００７５】
図５及び図６に、実施例２における携帯端末３（例えば、３Ａ）、センター装置２、サーバー４、及びパソコン携帯端末７の機能的な構成を示す。実施例２の携帯端末３は、実施例１にて説明したのと同様な機能を発揮するＧＰＳ受信手段３５、操作手段３６、制御手段３３、記憶手段３４、及び表示手段３２を備える。また、制御手段３３は、実施例１で述べた各手段３３ａ〜３３ｇと同様の機能を発揮する手段３３ａ〜３３ｇを備える。これらの手段３３ａ〜３３ｇが果たす機能や動作については、実施例１で説明済みであるため、重複した説明を省略する。
【００７６】
（実施例２のシステムの特徴）
次に、実施例２のシステム構成において、実施例１の場合と異なる点について説明する。実施例２における携帯端末３（基本的には、複数台の携帯端末３Ａ，３Ｂを前提）は、実施例１の無線ＬＡＮ手段３１に替えて、携帯電話回線５Ａ，５Ｂひいてはインターネット６に接続するインターネット送受信手段３７をさらに備える。
【００７７】
また、実施例２では、携帯端末３の制御手段３３は、主に運行管理機能を発揮する上述の各手段３３ａ〜３３ｇ（図５では、説明の便宜上、これらの手段をまとめて「運行管理手段」として示す。）の他に、位置情報送出手段３３ｈ、警告端末表示制御手段３３ｉ、管理者メッセージ受理応答手段３３ｊ、リーダーズボード表示制御手段３３ｋ、をさらに備えていてもよい。
【００７８】
また、実施例２では、携帯端末３の記憶手段３４には、実施例１で説明した各種のデータ３４ａ〜３４ｆの他に、他端末位置データ３４ｇ、管理者メッセージ関連データ３４ｈ、リーダーズボード関連データ３４ｉ、がさらに記憶されていてもよい。
【００７９】
一方、図６に示すように、サーバー４は、インターネット送受信手段４１、制御手段４２、記憶手段４３を備える。制御手段４２には、警告端末判定手段４２ａ、リーダーズボード制御手段４２ｂ、会員登録制御手段４２ｃなどが設けられている。
【００８０】
また、サーバー４の記憶手段４３には、地図データ４３ａ、全端末測位データ４３ｂ、遅延管理データ４３ｃ、ピン位置関連データ４３ｄ、全警告端末関連データ４３ｅ、全スコアデータ４３ｆ、リーダーズボード関連データ４３ｇ、全会員登録データ４３ｈなどが記憶される。
【００８１】
一方、センター装置２は、図６に示すように、実施例１のセンター装置２と同様に、表示手段２２、制御手段２３、記憶手段２４、操作手段２５、及び印刷手段２６を備えており、実施例１でこれらに対応する各手段２２〜２６が発揮した機能と同様の機能を発揮する。また、センター装置２は、実施例１の無線ＬＡＮ手段２１に替えて、電気通信回線５Ｄひいてはインターネット６に接続するインターネット送受信手段２７をさらに備える。
【００８２】
さらに、パソコン端末７（例えば、ゴルフ場以外の場所に設置されるパソコン端末やタブレット端末）も電気通信回線５Ｅ及びインターネット６を介して、前述のサーバー４に接続されていてもよい。このパソコン端末７には、電気通信回線５Ｅひいてはインターネット６に接続するインターネット送受信手段７１と、表示手段７２、制御手段７３、記憶手段７４、操作手段７５を備える。この制御手段７３には、例えば、会員登録情報制御手段７３ａやサーバー情報表示制御手段７３ｂなどが設けられる。
【００８３】
以上のように構成されたセンター装置２、携帯端末３Ａ，３Ｂ、サーバー４、パソコン端末７が、電気通信回線５Ａ〜５Ｅ及びインターネット６により接続され、各種データの双方向通信を行うために、以下のような機能を発揮することが可能である。
【００８４】
（ピン位置関連データ、地図データ、遅延管理データのインストール）
携帯端末３Ａ，３Ｂは、実施例１に示したように、ピン位置関連データ３４ｅ、地図データ３４ａ、遅延管理データ３４ｄを自己の記憶手段３４に記憶させておいてもよいし、センター装置２の記憶手段２４から取得するようにしてもよい。但し、実施例２のシステム１では、実施例１の場合と異なり、これらのデータ３４ａ，３４ｄ，３４ｅは、インターネット６及びインターネット送受信手段２７，３７を介して取得されることとなる。さらに、実施例２のシステム１では、サーバー４の記憶手段４３に上記データ３４ａ，３４ｄ，３４ｅに対応したデータ４３ａ，４３ｃ，４３ｄを記憶させ、各携帯端末３Ａ，３Ｂにインターネット送受信手段４１，３７及びインターネット６を介して上記データ４３ａ，４３ｃ，４３ｄを取得させるようにしてもよい。
【００８５】
（警告端末判定）
携帯端末３Ａ，３Ｂの位置情報送出手段３３ｈは、プレーの間中（電源を入れた状態で）、記憶手段３４に記憶・更新された測位データ３４ｂ（当該端末の３Ａ，３Ｂに関する現在位置を含む。）を、インターネット送受信手段３７及びインターネット６を経由して、サーバー４に定期的に送出する。各携帯端末３Ａ，３Ｂからの測位データ３４ｂを受理したサーバー４は、例えば、これらのデータ３４ｂを全端末測位データ４３ｂとして記憶手段４３に記憶する。そして、サーバー４の警告端末判定手段４２ａは、この全端末測位データ４３ｂを利用して携帯端末３Ａと他の携帯端末３Ｂとが同一の領域内（例えば、同一のホールエリア内）に存在する警告状態であるか否かを定期的に判別する。
【００８６】
もし、警告状態である場合には、全端末測位データ４３ｂから、警告状態にある携帯端末３Ａ，３Ｂの現在位置を含む測位データ３４ｂや当該携帯端末３Ａ，３Ｂを識別する情報（これらの測位データ３４ｂ及び識別情報を併せて「警告端末関連データ」と呼ぶ）を抽出し、これを当該携帯端末３Ａ，３Ｂの一方又は双方に向けて送出する。この送出の際、記憶手段４３に予め記憶された図示しない警告メッセージ（例えば、「同一ホールに他のパーティがプレー中です。」又は「他のパーティへの打ち込みに注意して下さい。」）をこの警告端末関連データに含めることも可能である。なお、記憶手段４３にこれらの警告端末関連データを収集し、全警告端末関連データ４３ｅとして記憶してもよく、必要に応じて、このデータ４３ｅをサーバー４からセンター装置２に送出するようにしてもよい。
【００８７】
一方、サーバー４から携帯端末３（例えば、３Ａ）に関連する警告端末関連データを受信した携帯端末３Ａは、警告端末表示制御手段３３ｉにて、当該携帯端末３Ａと同一領域に存在する他の携帯端末３Ｂの現在位置や警告メッセージを自らの表示手段３２にて表示する旨の指令を表示手段３２に送る。これにより、当該携帯端末３Ａを持ち運ぶプレーヤーは、この表示手段３２上の表示により、同一領域（同一ホールエリア）に他の携帯端末３Ｂ（つまり、他のパーティ）が存在することに気付くことができるだけでなく、自分の現在位置に加え、他の携帯端末３Ｂ（つまり他のパーティ）の現在位置を知ることもできる。
【００８８】
さらに、実施例１にて説明した残距離算出手段３３ｆ（図２も参照）に、さらに、携帯端末３Ａの現在位置から他の携帯端末３Ｂの現在位置までの残存距離を随時算出させ、この算出結果を表示手段３２上に併せて表示させる旨の指令を表示手段３２に送る追加機能を持たせてもよい。これにより、携帯端末３Ａを携帯するプレーヤーは、グリーン上のピン位置までの残存距離のみならず、同一領域でプレーする他のパーティまでの距離を定量的に把握することが可能となる。
【００８９】
（管理者メッセージの受理応答）
また、センター装置２の制御手段２３には、端末位置表示制御手段２３ａが設けられていてもよい。これは、サーバー４の記憶手段４３に随時アクセスして、全端末測位データ４３ｂを取得してセンター装置２の記憶手段２４に保管するとともに、当該データ４３ｂを利用して一部乃至全部の携帯端末３の現在位置を表示手段２２に表示させる旨の指令を表示手段２２に送ることができる。これにより、例えば、ゴルフ場の管理者は、全ての携帯端末３Ａ，３Ｂ（つまり、全パーティ）の現在位置をまとめて表示手段２２で確認することが可能となる。
【００９０】
また、センター装置２は、管理者メッセージ制御手段２３ｂを備えていてもよい。管理者メッセージ制御手段２３ｂでは、予め記憶手段２４に記憶された管理者メッセージデータ２４ａ（例えば、雷警報発令、警報後のプレー再開情報など）を選択するようにしてもよいし、操作手段２５を用いて任意のメッセージを作成し、これを管理者メッセージデータ２４ａとして記憶手段２４に保管するようにしてもよい。そして、図示しない管理者は必要に応じて、操作手段２５及び管理者メッセージ制御手段２３ｂを操作して、センター装置２からインターネット６を経由して携帯端末３Ａ，３Ｂに管理者メッセージデータ２４ａを送出する。
【００９１】
管理者メッセージデータ２４ａを受信した携帯端末３Ａ，３Ｂでは、管理者メッセージ受理応答手段３３ｊによって、管理者メッセージデータ２４ａを解析して、そのメッセージに対応した内容を表示手段３２に表示させる旨の指令を送るとともに、管理者メッセージ関連データ３４ｈとして記憶手段３４に保管する。
【００９２】
また、管理者メッセージ受理応答手段３３ｊに、センター装置２から管理者メッセージデータ２４ａを複数回取得した際（例えば、最初のメッセージが「雷警報発令」であり、次のメッセージが「プレー再開」であった場合）に、計時手段３３ｅを利用して、それぞれの受信時刻の差（最初のメッセージ２４ａを受理した時から次のメッセージ２４ａを受理した時までに経過した時間つまりプレー中断時間）を算出し、この算出結果（プレー中断時間）を遅延管理データ３４ｄの当該ホール以降の累積プレー許容時間ＴＳ１に加算させるようにしてもよい。
【００９３】
（リーダーズボードの作成・表示）
また、携帯端末３Ａ，３Ｂは、スコアデータ制御手段３３ｇ（図２も参照）により、各ホールのスコアデータ３４ｆを作成し、これを記憶手段３４に記憶させたり、インターネット送信手段３７及びインターネット６を介して、サーバー４に送らせたりするようにしてもよい。
【００９４】
各携帯端末３Ａ，３Ｂからそれぞれのスコアデータ３４ｆを受信したサーバー４は、記憶手段４３にて、これらのスコアデータ３Ａ，３Ｂを別々又は纏めた状態にして全スコアデータ４３ｆとして記憶させる。加えて、サーバー４は、リーダーズボード制御手段４２ｂにて、全スコアデータ４３ｆを解析してリーダーズボード関連データ４３ｇを作成し、作成した当該データ４３ｇを記憶手段４３に随時記憶させたり、インターネット送信手段４１及びインターネット６を経由して、各携帯端末３Ａ，３Ｂやセンター装置２に当該データ４３ｇを随時送信させたりするようにしてもよい。
【００９５】
サーバー４からリーダーズボード関連データ４３ｇを受信した携帯端末３Ａ，３Ｂ又はセンター装置２は、記憶手段３４，２４にて当該データ４３ｇをリーダーズボード関連データ３４ｊ，２４ｂとして記憶・更新させるとともに、リーダーズボード表示制御手段３３ｋ，２３ｃにて、表示手段３２，２２上に当該データ３４ｉ，２４ｂを表示させる旨の指令を表示手段３２，２２に送ることもできる。これにより、例えば、実施例２の携帯端末３Ａ，３Ｂを携帯したプレーヤーは、クラブハウスに戻る前に、つまり、ゴルフ場でのプレーの最中に（例えば、プレー中のホールエリアにて）、表示手段３２上にリアルタイムに更新されるリーダーズボードを確認することが可能になる。
【００９６】
（サーバーの会員登録機能）
また、サーバー４の制御手段４２に会員登録制御手段４２ｃを備えるようにしてもよい。これにより、例えば、パソコン端末７がインターネット送信手段７１及びインターネット６を介してサーバー４にアクセスした際に、会員登録に必要なデータ（例えば、「氏名」や「メールアドレス」等の個人情報）の入力等の必要な操作をパソコン端末７に要求し、操作手段７５等によりこの要求を満足したパソコン端末７に対してのみ会員登録を承認する会員登録データを送信する。サーバー４は、図示しない他のパソコン端末からのアクセスについても同様に処理し、各パソコン端末に関する会員登録データをまとめて全会員登録データ４３ｈとして記憶手段４３に記憶してもよい。
【００９７】
一方、会員登録データの返信を受けた（つまり、会員登録の承認を受けた）パソコン端末７の会員登録情報制御手段７３ａでは、記憶手段７４に当該端末７に関する会員登録データ７４ａを保管する。その後、会員登録データ７４ａの一部のデータ（例えば、暗証番号）をサーバー４に送ることによって、リーダーズボード関連データ４３ｇの一部又は全部をサーバー４の記憶手段４３から取得し、サーバー情報表示制御手段７３ｂにて、このデータ４３ｇを随時表示させる旨の指令を表示手段７２に送ることも可能となる。これにより、当該パソコン端末７を利用して、当該端末７から離れた場所にあるゴルフ場にて行われているプレーに関するリーダーズボードをリアルタイムに確認することが可能となる。
【００９８】
実施例２のこのような特徴により、ゴルフ場でのプレーにさらに関心を持つ客層が増えるとともに、ゴルフ場の運営会社がサーバー４等を管理することにより、関心を持つ客層の情報を得ることもできる。さらに、会員登録の際にダイレクトメール等の配信等を希望した会員登録者のパソコン端末７に、ダイレクトメール等を定期的に送ることもできるようになる。
【００９９】
なお、実施例２にて説明した携帯端末３Ａ，３Ｂは、特に、プレーヤー個人所有の携帯端末（例えば、スマートフォンやタブレットＰＣ等）であることが好ましい。これにより、従来、ゴルフ場運営会社にて従来用意していた中継端末及び携帯端末に関する専用のハードウェア及びソフトウェアを用意・購入する必要はない。各プレーヤーは自己の携帯端末を、インターネット６を介してプレー開始前に実施例２のサーバー４等に接続し、図５等に示した携帯端末３Ａ，３Ｂにおける各手段を実現させるソフトウェアアプリケーションプログラム及び関連データをダウンロードすることで実施例２の携帯端末３Ａ，３Ｂとして機能させることも可能である。
【０１００】
また、図示しないが、携帯端末３Ａ，３Ｂの制御手段３３に、パソコン端末７における上述の会員登録情報制御手段７３ａと同様の機能を発揮する手段を搭載させ、携帯端末３Ａ，３Ｂの記憶手段３４に、上述の会員登録データ７４ａと同様のデータをサーバー４から受信して保管するようにしてもよい。これにより、ゴルフ場の管理者は、例えば、携帯端末３Ａ，３Ｂを所有するユーザーに対しても会員登録を行い、当該運行管理システム１へのログインを許可したり、制御したりすることができるようになる。
【０１０１】
また、実施例２のセンター装置２や携帯端末３Ａ，３Ｂには、インターネット送受信手段３７の他に、実施例１で説明したような無線ＬＡＮ接続手段（Ｗｉ−Ｆｉ送受信手段２１，３１）を備えていてもよい。これにより、実施例２のシステム１を導入しようとするゴルフ場の大半のホールが導入時点で携帯電話回線の通信圏内に入っていなくとも、実施例１のシステム１で得られるような運行管理機能を実現することができ、その後、当該ゴルフ場に携帯電話網が普及した時点で、実施例２の追加的な機能やメリットを享受することができるようになる。
【０１０２】
なお、上述の実施例１，２においては、運行管理処理を行うにあたってゴルフ場の各ホールエリアを分割領域の単位としたが、必ずしもこの例示に限定されず、このホールエリアよりもさらに細分化された小さな領域（例えば、グリーン領域、フェアウェイ領域）を単位にして運行管理を行うようにしてもよい。
【符号の説明】
【０１０３】
１    運行管理システム
２    センター装置
３    ゴルフ用ナビゲーション携帯端末
３１    無線ＬＡＮ接続手段（Ｗｉ−Ｆｉ送受信手段）
３２    表示手段
３３    制御手段
３４    記憶手段
３５    位置検出手段（ＧＰＳ受信手段）
３３ｂ    プレー開始判定手段
３３ｃ    遅延判定手段
３３ｄ    プレー終了判定手段
３３ｅ    計時手段
３４ａ    地図データ
３４ｂ    測位データ
３４ｃ    計時データ
３４ｄ    遅延管理データ
３４ｅ    ピン位置関連データ
３６    操作手段
３７    インターネット送受信手段
Ａｄ    ゴルフ場内を分割された領域（ホールエリア）の情報
ＴＳ１    累積プレー許容時間
ＴＳ２    累積プレー経過時間
【図１】
2014150945.tif 000004
【図２】
2014150945.tif 000005
【図３】
2014150945.tif 000006
【図４】
2014150945.tif 000007
【図５】
2014150945.tif 000008
【図６】
2014150945.tif 000009